(57)【要約】【解決手段】爪切り本体１と爪飛散防止ケース２と可動体３とを備えている。爪飛散防止ケース２は底壁部１２と両側壁部とを有している。可動体３は指受け部１８から延出した支持腕部１９を有している。指受け部１８は、爪３３が伸びる指頭３４を当てがう指頭当接部２５を有する縦板部２０と、縦板部２０に対し段差状をなす横板部２１とからなる。可動体３を爪飛散防止ケース２の底壁部１２に対し移動案内部１５の案内孔３０で移動調節可能に支持している。可動体３を雌雄ねじ機構（雄ねじ軸２８、雌ねじ筒３２）により移動調節すると、下刃先９に対する指頭当接部２５の距離Ｌを変更し得る。【効果】指頭当接部２５を有する可動体３を既存の爪飛散防止ケース２を有効に利用して簡単な構造で移動調節可能に支持し、爪３３の切断長さの調節を容易にすることができる。【選択図】図３
2006204637.tif 000002
【特許請求の範囲】
【請求項１】
上刃体の上刃先と下刃体の下刃先とが相対向して互いに接近離間する爪切り本体と、この爪切り本体を収容する爪飛散防止ケースとを備え、爪が伸びる指頭を当てがう指頭当接部を有する可動体をこの爪飛散防止ケースに対し移動調節可能に支持して、前記下刃先に対するこの指頭当接部の距離を変更し得るようにしたことを特徴とする爪飛散防止ケース付き爪切り。
【請求項２】
前記爪飛散防止ケースは、下刃体が面する底壁部と、上刃体と下刃体との間の爪飛散室に面する両側壁部とを有し、この爪飛散防止ケースは前記可動体を移動調節可能に支持する移動案内部を有していることを特徴とする請求項１に記載の爪飛散防止ケース付き爪切り。
【請求項３】
前記可動体は指頭当接部を有する指受け部から延出した支持腕部を有し、前記移動案内部はこの可動体の支持腕部が移動調節可能に挿嵌される案内孔を有していることを特徴とする請求項２に記載の爪飛散防止ケース付き爪切り。
【請求項４】
前記可動体を移動させる調節部をこの可動体と前記爪飛散防止ケースとの間に設けたことを特徴とする請求項１または請求項２または請求項３に記載の爪飛散防止ケース付き爪切り。
【請求項５】
前記可動体には指頭当接部を有する指受け部を設け、この指受け部は、上下方向へ延びてこの指頭当接部を有する縦板部と、この縦板部と交差して前記下刃先から離間する外側へ延びる横板部とを有し、この縦板部の指当て面とこの横板部の指当て面とで段差状に形成されていることを特徴とする請求項１から請求項４のうちいずれかの請求項に記載の爪飛散防止ケース付き爪切り。
【発明の詳細な説明】
【技術分野】
【０００１】
本発明は、爪の切断長さを容易に調節することができる爪飛散防止ケース付き爪切りに関するものである。
【背景技術】
【０００２】
下記特許文献１にかかる爪切りでは、ガード壁により爪の切断長さを規制することができる深爪防止安全具が両連結爪により軸受けプレートに支持されている。
【特許文献１】特開平９−２０６１２５号公報
【発明の開示】
【発明が解決しようとする課題】
【０００３】
しかし、前記深爪防止安全具はあくまでも爪の切断長さを規制して深爪を防止するために改良されたものであって、爪の切断長さを容易に調節することを目的とせず、その調節はある程度可能であっても容易性という点では問題があった。
【０００４】
この発明は、爪切りにおいて爪の切断長さの調節を容易にすることを目的としている。
【課題を解決するための手段】
【０００５】
後記実施形態の図面（図１〜３に示す第１実施形態、図４に示す第２実施形態）の符号を援用して本発明を説明する。
請求項１の発明にかかる爪飛散防止ケース付き爪切りは下記のように構成されている。
【０００６】
この爪切りは、上刃体（４）の上刃先（８）と下刃体（５）の下刃先（９）とが相対向して互いに接近離間する爪切り本体（１）と、この爪切り本体（１）を収容する爪飛散防止ケース（２）とを備えている。爪（３３）が伸びる指頭（３４）を当てがう指頭当接部（２５）を有する可動体（３）をこの爪飛散防止ケース（２）に対し移動調節可能に支持して、前記下刃先（９）に対するこの指頭当接部（２５）の距離（Ｌ）を変更し得るようにしている。
【０００７】
請求項１の発明を前提とする請求項２の発明において、前記爪飛散防止ケース（２）は、下刃体（５）が面する底壁部（１２）と、上刃体（４）と下刃体（５）との間の爪飛散室（１７）に面する両側壁部（１３）とを有し、この爪飛散防止ケース（２）例えばその底壁部（１２）は前記可動体（３）を移動調節可能に支持する移動案内部（１５）を有している。
【０００８】
請求項１〜２の発明では、指頭当接部（２５）を有する可動体（３）を既存の爪飛散防止ケース（２）例えばその底壁部（１２）を有効に利用して簡単な構造で移動調節可能に支持し、爪（３３）の切断長さの調節を容易にすることができる。
【０００９】
請求項２の発明を前提とする請求項３の発明において、前記可動体（３）は指頭当接部（２５）を有する指受け部（１８）から延出した支持腕部（１９）を有し、前記移動案内部（１５）はこの可動体（３）の支持腕部（１９）が移動調節可能に挿嵌される案内孔（３０）を有している。請求項３の発明では、可動体（３）の支持腕部（１９）を移動案内部（１５）の案内孔（３０）で安定性良く支持して案内することができる。
【００１０】
請求項１または請求項２または請求項３の発明を前提とする請求項４の発明においては、前記可動体（３）を移動させる調節部（２８，３２，３６，３７等）例えば雌雄ねじ機構（２８，３２）をこの可動体（３）と前記爪飛散防止ケース（２）例えば移動案内部（１５）との間に設けている。請求項４の発明では、可動体（３）を調節部（２８，３２，３６，３７等）で容易に移動調節させることができる。
【００１１】
請求項１から請求項４のうちいずれかの請求項の発明を前提とする請求項５の発明において、前記可動体（３）には指頭当接部（２５）を有する指受け部（１８）を設け、この指受け部（１８）は、上下方向へ延びてこの指頭当接部（２５）を有する縦板部（２０）と、この縦板部（２０）と交差して前記下刃先（９）から離間する外側へ延びる横板部（２１）とを有し、この縦板部（２０）の指当て面（２０ａ）とこの横板部（２１）の指当て面（２１ａ）とで段差状に形成されている。ちなみに、この縦板部（２０）の指当て面（２０ａ）または横板部（２１）の指当て面（２１ａ）に指を当てがって爪切りを使用してもそれらに指を当てがわずに爪切りを使用してもよい。請求項５の発明では、この縦板部（２０）の指当て面（２０ａ）または横板部（２１）の指当て面（２１ａ）に指を当てがうと、指頭（３４）を安定性良く支えることができる。
【発明の効果】
【００１２】
本発明は、爪切りにおいて爪（３３）の切断長さの調節を容易にすることができる。
【発明を実施するための最良の形態】
【００１３】
まず、本発明の第１実施形態にかかる爪切りについて図１〜３を参照して説明する。
この爪切りは爪切り本体１と爪飛散防止ケース２と爪切断長さ調節用の可動体３とを備えている。
【００１４】
前記爪切り本体１は上刃体４と下刃体５と支軸６と押圧操作てこ７とを備えている。この上刃体４と下刃体５とが前後方向Ｘに沿って延設されてそれらの後端部である基端部４ａ，５ａが互いに固着され、上刃体４の先端部に上刃先８が形成されているとともに、下刃体５の先端部に下刃先９が上刃先８に相対向して形成されている。この上下両刃先８，９の付近で上下両刃体４，５にそれぞれ支持孔１０，１１が形成されて前記支軸６がこれらの支持孔１０，１１に挿通され、この支軸６の下端頭部６ａが下刃体５の下側で支持孔１１に係止されているとともに、この支軸６の上端部６ｂが上刃体４の上方へ支持孔１０を通って突出している。前記押圧操作てこ７はこの支軸６の上端部６ｂに引掛けられて不使用時に上刃体４の上側に重ねられる。
【００１５】
前記爪飛散防止ケース２は、合成樹脂により一体成形され、底壁部１２と左右両側壁部１３とを有している。この底壁部１２においては、底板部１４が前端部から後端部にわたり前後方向Ｘに沿って延設され、前半部でこの底板部１４の下側に移動案内部１５が形成されているとともに、後半部の下側が指掛け部として凹んでいる。この底板部１４と左右両側壁部１３との間に形成された収容室１６には前記爪切り本体１が着脱可能に収容され、上下両刃体４，５の基端部４ａ，５ａ側がこの収容室１６の後半部に挿入されて係止されている。この爪切り本体１において、下刃体５は底板部１４に面しているとともに、左右両側壁部１３は上刃体４と下刃体５との間の爪飛散室１７に面し、上下両刃先８，９はこの収容室１６の前端部から露出している。
【００１６】
前記可動体３は、合成樹脂により一体成形され、指受け部１８と支持腕部１９とを備えている。この指受け部１８は、上下方向へ延びる縦板部２０と、この縦板部２０と交差して前記下刃先９から離間する外側へ延びる横板部２１とを有し、この縦板部２０の指当て面２０ａとこの横板部２１の指当て面２１ａとで段差状に形成されている。この縦板部２０は、下刃先９の延設方向（左右方向）に沿う幅方向Ｙで広い幅寸法（最大幅約１６ｍｍ）を有する下板部２２と、その下板部２２よりも狭い幅寸法（最大幅約７ｍｍ）を有する上板部２３と、幅方向Ｙの両側でこの下板部２２と上板部２３との間に設けられた段差部２４とを備えている。この上板部２３の上端部には指頭当接部２５が設けられている。この横板部２１はこの縦板部２０の下板部２２と同一の幅寸法になっている。前記下刃体５は、この縦板部２０の上板部２３の上端部に対向する下刃先９（幅約４ｍｍ）のほかに、この下刃先９の幅方向Ｙの両側で段差部２６を有している。前記上刃体４も、この下刃先５に対向する上刃先８（幅約４ｍｍ）のほかに、この上刃先８の幅方向Ｙの両側で段差部２６を有している。なお、この上刃先８及び下刃先９については、幅方向Ｙへ直線的に延設されているが、前後方向Ｘでこの幅方向Ｙに対し内側へ凹状に形成したり外側へ凸状に形成したりしてもよい。前記支持腕部１９は、前記指受け部１８の縦板部２０から後方へ延出され、二股状に形成された左右両案内部２７と、この左右両案内部２７間で後方へ延びる雄ねじ軸２８とを有している。
【００１７】
前記爪飛散防止ケース２において、底壁部１２の移動案内部１５は、底板部１４の前半部下側に面する案内板部２９と、この底板部１４と案内板部２９と前記左右両側壁部１３の前半下部との間の案内孔３０とを有し、その案内孔３０の前端部が口部３０ａで開放されているとともに、この案内板部２９にはこの案内孔３０に連通する操作孔３１が形成されている。前記可動体３の支持腕部１９はこの案内孔３０に口部３０ａから挿嵌されて前後方向Ｘに沿って移動可能に支持されている。操作部（調節部）である雌雄ねじ機構として、この支持腕部１９の雄ねじ軸２８には操作孔３１から挿入された雌ねじ筒３２が螺合されてこの操作孔３１から露出している。この雌ねじ筒３２を回転させると、雄ねじ軸２８を介して可動体３が支持腕部１９とともに前後方向Ｘに沿って移動し、前記下刃先９に対する前記指受け部１８の指頭当接部２５の距離Ｌが約０ｍｍから１０ｍｍの範囲で無段階的に変更される。
【００１８】
さて、押圧操作てこ７を図２（ａ）の不使用状態から反転させて図２（ｃ）の使用状態で起立させた後、爪３３が伸びた指頭３４を指受け部１８の指頭当接部２５に当てがい、雌ねじ筒３２を回転させて下刃先９に対し指頭当接部２５を接近離間させると、爪３３の所望切断長さに応じて爪３３を上下両刃先８，９間に挿入することができる。その後、押圧操作てこ７を下方へ押さえると、上下両刃先８，９が互いに接近して爪３３を所望長さで切断する。その押圧操作てこ７に対する押圧を解除すると、上下両刃先８，９が互いに離間する。爪３３の切断片は上下両刃体４，５間の爪飛散室１７に入る。前述したように上刃先８及び下刃先９の幅が約４ｍｍ程度になっていると、爪３３を切断する際、切断片の幅を細かくして爪３３の形を整え易い。なお、図２（ａ）の不使用状態や図２（ｃ）の使用状態で爪飛散防止ケース２の後端下部２ａが二点鎖線で示すように載置面Ｆに接触するようにしてもよく、その場合には爪切りを載置面Ｆに安定性良く載せることができる。
【００１９】
次に、本発明の第２実施形態にかかる爪切りについて第１実施形態との相違点を中心に図４を参照して説明する。
指受け部１８において縦板部２０の上部に窓孔３５が形成され、その窓孔３５の内周縁部のうち下縁部に指頭当接部２５が設けられている。指頭３４をこの指頭当接部２５に当てがうと、爪３３がこの窓孔３５を通って上下両刃先８，９間に挿入される。
【００２０】
左右両側壁部１３には案内孔３０に連通する操作孔３１（調節部）が前後方向Ｘに沿って延設されている。この左右両操作孔３１には複数の係止突起３６（調節部）が前後方向Ｘに沿って並設されている。可動体３の支持腕部１９において左右両案内部２７（調節部）は幅方向Ｙに撓む可撓性を有し、この左右両案内部２７の先端部には折曲された係止鉤部３７（調節部）が形成されている。この左右両案内部２７の係止鉤部３７は、左右両操作孔３１に係入され、いずれかの係止突起３６に係止される。この左右両案内部２７を前後方向Ｘに沿って移動させてそれらの係止鉤部３７をいずれかの係止突起３６に係止させると、可動体３が支持腕部１９とともに前後方向Ｘに沿って移動し、下刃先９に対する指受け部１８の指頭当接部２５の距離Ｌが約０ｍｍから１０ｍｍの範囲で段階的（３段階）に変更される。
【図面の簡単な説明】
【００２１】
【図１】（ａ）は第１実施形態にかかる爪切りにおいて爪飛散防止ケース及び爪切断長さ調節用の可動体のみを示す分解斜視図であり、（ｂ）は同じく組付斜視図である。
【図２】（ａ）は第１実施形態にかかる爪切りにおいて不使用状態を示す組付正面図であり、（ｂ）は（ａ）の部分平面図であり、（ｃ）は同じく使用状態を示す組付正面図である。
【図３】（ａ）は図２（ａ）に示す爪切りを正面側から見た断面図であり、（ｂ）は爪切断長さ調節用の可動体を移動させた爪切りを正面側から見た断面図である。
【図４】（ａ）は第２実施形態にかかる爪切りにおいて爪飛散防止ケースの一部を示す組付斜視図であり、（ｂ）は（ａ）を平面側から見た部分断面図であり、（ｃ）（ｄ）はそれぞれ第２実施形態にかかる爪切りの一部を示す一部切欠組付正面図である。
【符号の説明】
【００２２】
１…爪切り本体、２…爪飛散防止ケース、３…可動体、４…上刃体、５…下刃体、８…上刃先、９…下刃先、１３…側壁部、１５…移動案内部、１７…爪飛散室、１８…指受け部、１９…支持腕部、２０…縦板部、２０ａ…指当て面、２１…横板部、２１ａ…指当て面、２５…指頭当接部、２８…雄ねじ軸（調節部）、３０…案内孔、３１…操作孔（調節部）、３２…雌ねじ筒（調節部）、３３…爪、３４…指頭、３６…係止突起（調節部）、３７…係止鉤部（調節部）。
【図１】
2006204637.tif 000003
【図２】
2006204637.tif 000004
【図３】
2006204637.tif 000005
【図４】
2006204637.tif 000006